(57)【要約】【課題】  コンバイナの表示角度を確実に保持しつつ、筐体からコンバイナを容易に分離可能なヘッドアップディスプレイ装置を提供する。【解決手段】  本発明に係るヘッドアップディスプレイ装置１は、コンバイナ３と、コンバイナ３を支持する支持体５と、コンバイナ３へ画像投影する画像投影手段２と、支持体５を介してコンバイナ３を上下方向に着脱可能な取り付け溝６０を有する筐体６と、を備えたヘッドアップディスプレイ装置において、支持体５は、対辺に形成される１対の第１係止溝５１０と、前記第１係止溝５１０が形成された対辺と異なる辺に形成される第２係止溝５１１を備え、筐体６に、取り付け溝６０に支持板５が嵌合したときに前記第１係止溝５１０と係合する１対の係合フック部６１と、前記第２係止溝５１１に係合し且つ第２係止溝５１１が形成された辺を押し付ける係合押付部６２を備えた。【選択図】  図２
2015141380.tif 000002
【特許請求の範囲】
【請求項１】
コンバイナと、
前記コンバイナを支持する支持体と、
前記コンバイナへ画像投影する画像投影手段と、
前記支持体を介して前記コンバイナを上下方向に着脱可能な取り付け溝を有する筐体と、
を備えたヘッドアップディスプレイ装置において、
前記支持体は、対辺に形成される１対の第１係止溝と、前記第１係止溝が形成された対辺と異なる辺に形成される第２係止溝を備え、
前記筐体に、前記取り付け溝に前記支持板が嵌合したときに前記第１係止溝と係合する１対の係合フック部と、前記取り付け溝に前記支持板が係合したときに前記第２係止溝に係合し且つ前記第２係止溝が形成された辺を押し付ける係合押付部を備えた
ことを特徴とするヘッドアップディスプレイ装置。
【請求項２】
前記係合押付部は、前記コンバイナの着脱方向に対応する１対の曲面を持ち、前記第２係止溝は、前記係合押付部と２点で接する溝形状とした
ことを特徴とする請求項１に記載のヘッドアップディスプレイ装置。
【請求項３】
前記第１係止溝を、前記コンバイナの表示面と直行する対辺に形成し、
前記第２係止溝を、前記コンバイナの表示面と平行な辺に形成する
ことを特徴とする請求項１または請求項２に記載のヘッドアップディスプレイ装置。
【発明の詳細な説明】
【技術分野】
【０００１】
本発明は、コンバイナの表示角度を確実に保持しつつ、筐体からコンバイナを容易に分離可能なヘッドアップディスプレイ装置に関するものである。
【背景技術】
【０００２】
特許文献１に、本体からコンバイナを清掃等のメンテナンスのために容易に分離できるように、コンバイナを本体より引き抜き可能としたヘッドアップディスプレイ装置が開示されている。
【先行技術文献】
【特許文献】
【０００３】
【特許文献１】特開平１０−２２７９９１号公報
【発明の概要】
【発明が解決しようとする課題】
【０００４】
しかしながら、特許文献１に開示されるヘッドアップディスプレイにおいては、コンバイナ自体と本体とを凸部とそれに対応する凹部によって嵌め合せて固定されるため、着脱の際に凸部または凹部に削れが生じ、長期使用するとコンバイナの固定に弛みが生じてしまい、コンバイナが十分に固定されず車両の走行時にコンバイナの表示面が振動してしまうという問題があった。
【０００５】
本発明は、上記の課題を鑑みてなされたものであり、コンバイナの表示角度を確実に保持しつつ、筐体からコンバイナを容易に分離可能なヘッドアップディスプレイ装置を提供することを目的とする。
【課題を解決するための手段】
【０００６】
本発明に係るヘッドアップディスプレイ装置は、
コンバイナと、
前記コンバイナを支持する支持体と、
前記コンバイナへ画像投影する画像投影手段と、
前記支持体を介して前記コンバイナを上下方向に着脱可能な取り付け溝を有する筐体と、
を備えたヘッドアップディスプレイ装置において、
前記支持体は、対辺に形成される１対の第１係止溝と、前記第１係止溝が形成された対辺と異なる辺に形成される第２係止溝を備え、
前記筐体に、前記取り付け溝に前記支持板が嵌合したときに前記第１係止溝と係合する１対の係合フック部と、前記取り付け溝に前記支持板が係合したときに前記第２係止溝に係合し且つ前記第２係止溝が形成された辺を押し付ける係合押付部を備えた。
【０００７】
また、本発明に係るヘッドアップディスプレイ装置は、
前記係合押付部に、前記コンバイナの着脱方向に対応する１対の曲面を持ち、前記第２係止溝を、前記係合押付部と２点で接する溝形状とした。
【０００８】
また、本発明に係るヘッドアップディスプレイ装置は、
前記第１係止溝に、前記コンバイナの表示面と直行する対辺に形成し、
前記第２係止溝を、前記コンバイナの表示面と平行な辺に形成した。
【発明の効果】
【０００９】
本発明によれば、コンバイナの表示角度を確実に保持しつつ、筐体からコンバイナを容易に分離可能なヘッドアップディスプレイ装置を提供することができる。
【図面の簡単な説明】
【００１０】
【図１】本発明の実施形態を示す斜視図である。
【図２】同実施形態におけるコンバイナの着脱構成を示す図である。
【図３】同実施形態におけるコンバイナの部品構成を示す図である。
【図４】同実施形態におけるコンバイナを取り付ける筐体の断面図である。なお、同図において、（ａ）は、Ａ−Ａ’における断面図であり、（ｂ）は、Ｂ−Ｂ’における断面図である。
【図５】同実施形態におけるコンバイナと筐体との嵌合図である。なお、同図において、（ａ）〜（ｃ）は、第１係止溝とそれに対応する係合フック部との嵌合を示し、（ｄ）〜（ｆ）は、第２係止溝とそれに対応する係合押付部との嵌合を示す図である。
【発明を実施するための形態】
【００１１】
以下、添付図面に基づいて、本発明の実施形態を説明する。
【００１２】
本発明に係るヘッドアップディスプレイ装置１は、画像投影手段２と、コンバイナユニット３とによって構成される。
【００１３】
画像投影手段２は、例えば、バックライト付液晶ディスプレイ装置などによって構成され、車両の走行速度や、エンジン回転数、警告情報、ルート案内などの車両の運転に係わる各種情報をコンバイナユニット３の表示面に画像として投影する。また、画像投影手段２は、運転者から視認できないように車両のインパネに埋没するように組み込まれる。
【００１４】
コンバイナユニット３は、コンバイナ４と、コンバイナホルダ（支持体）５と、筐体６から構成される。コンバイナユニット３は、コンバイナ４が見える位置に筐体６が車両のインパネに埋没するように組み込まれる。
【００１５】
また、コンバイナユニット３は、コンバイナ４がコンバイナホルダ５を介して筐体６から上下に着脱可能に構成する。
【００１６】
コンバイナ４は、例えば、ポリカーボネート（ＰＣ）で作られた凹面ミラーで構成され、画像投影手段２から発せられた表示光を運転者側に向けて反射させ、運転者からは、コンバイナ４を介して虚像が遠方に拡大されて表示されると同時に、コンバイナ４を透過する外からの光によって背景を同時に見ることができる。
また、コンバイナ４には、コンバイナホルダ５に固定するための係合穴４０が開けられている。
【００１７】
コンバイナホルダ５は、例えば、アクリロニトル ブタジエン スチレン共重合合成樹脂（ＡＢＳ）やポリ ブチエチレン テレフタレート樹脂（ＰＢＴ）などの合成樹脂の前ホルダ５０と後ホルダ６１から構成される。また、コンバイナホルダ５には、前ホルダ５０に開けられた係合穴５００からコンバイナ４の係合穴４０を介してビス５２にて後ホルダ６１にビス締めにて、コンバイナ４が固定される。
【００１８】
また、後ホルダ６１には、後ホルダ６１の側面（コンバイナ４の表示面と直行する対辺）に側面溝（第１係止溝）５１０が形成され、後ホルダ６１の背面（コンバイナ４の表示面と平行な辺）に背面溝（第２係止溝）５１１が形成されている。
【００１９】
筐体６は、例えば、ＡＢＳやＰＢＴなどの合成樹脂のケース体からなり、コンバイナホルダ５を挿入可能な取り付け溝６０が空けられており、取り付け溝６０にコンバイナ４が固定されたコンバイナホルダ５を上下に抜き差しすることで、着脱可能になっている。
【００２０】
また、取り付け溝６０内には、図４に示すように、コンバイナホルダ５を筐体６に係止するための、後ホルダ６１の側面溝５１０に対応する位置に係止フック部６１と、後ホルダ６１の背面溝５１１に対応する位置に係止押付部６２を備えている。なお、係止押付部６２は、筐体６に押付ばね６３を介して固定されると共に、係止押付部６２を筐体６側へ押し込み可能となっている。
【００２１】
係止フック部６１は、後ホルダ６１の側面溝５１０の形状に嵌合し、上下方向に傾斜を持つフックである。係止フック部６１は、下端部が筐体に固定されており、上端部のフックの前後方向に弓なりに湾曲可能となっている。
【００２２】
これにより、係止フック部６１は、図５の（ａ）〜（ｃ）に示すように、後ホルダ５１が筐体６の取り付け溝６０の外側に位置する状態（図５（ａ））から、後ホルダ５が係止フック部６１の傾斜を滑って係止フック部６１を筐体６側へ押し込んだ状態（図５（ｂ））を経由して、後ホルダ５１の側面溝５１０に係止フック部６１が嵌合した状態（図５（ｃ））間を、筐体６の取り付け溝６０にコンバイナ４が固定されたコンバイナホルダ５が上下に着脱される動きに応じて遷移する。
【００２３】
係止押付部６２は、後ホルダ６１の背面溝５１１の形状に２点で接する上下方向に斜面を持つ、例えば半円柱型の部材であり、筐体６の取り付け溝６０に後ホルダ５１が挿入された際に、後ホルダ５１を、押付ばね６３によって係止押付部６２が形成された辺と対向する辺へ押し付けるようになっている。
【００２４】
これにより、係止押付部６２は、図５の（ｄ）〜（ｆ）に示すように、後ホルダ５１が筐体６の取り付け溝６０の外側に位置する状態（図５（ｄ））から、後ホルダ５が係止押付部６２の斜面を滑って係止押付部６２を筐体６側へ押し込んだ状態（図５（ｅ））を経由して、係止押付部６２の傾斜を滑って後ホルダ５１の背面溝５１１内の２点で係止押付部６２が嵌合した状態（図５（ｆ））間を、筐体６の取り付け溝６０にコンバイナ４が固定されたコンバイナホルダ５が上下に着脱される動きに応じて遷移する。
【００２５】
このように構成することで、コンバイナ４を支持するコンバイナホルダ５の係止フック部６１が、筐体６の側面溝５１０に嵌合し、コンバイナ４をコンバイナホルダ５を介して筐体６に図１，２で示すＸ，Ｙ軸で係止することができる。
また、コンバイナ４を支持するコンバイナホルダ５の係止押付部６２が、筐体６の背面溝５１１に嵌合し、コンバイナ４をコンバイナホルダ５を介して筐体６に図１，２で示すＹ，Ｚ軸で係止することができる。
なお、係止フック部６１と係止押付部６２には、コンバイナホルダ５を抜き差しする上下方向に対応した傾斜面を形成しているので、コンバイナ４を支持するコンバイナホルダ５を筐体６への抜き差しが比較的容易となる。
【符号の説明】
【００２６】
１      ヘッドアップディスプレイ装置
２      画像投影手段
３      コンバイナユニット
４      コンバイナ
４０    係合穴
５      コンバイナホルダ（支持体）
５０    前ホルダ
５００  係合穴
５１    後ホルダ
５１０  側面溝（第１係止溝）
５１１  背面溝（第２係止溝）
５２    ビス
６      筐体
６０    取り付け溝
６１    係止フック部
６２    係止押付部
６３    押付ばね
【図１】
2015141380.tif 000003
【図２】
2015141380.tif 000004
【図３】
2015141380.tif 000005
【図４】
2015141380.tif 000006
【図５】
2015141380.tif 000007